(57)【特許請求の範囲】
【請求項１】
フレームと、退避位置及び延出位置間で前記フレームに案内されるスライド部材と、該スライド部材とフレームとの間で作用する第一ベアリングアッセンブリとで構成され、前記第一ベアリングアッセンブリは、スライド部材及びフレームの何れか一方に配設される第一ベアリングハウジングと、第一固定軸回りで前記第一ベアリングハウジングに相対的に旋回移動するように、前記第一ベアリングハウジングに接続された第一キャリアと、スライド部材が退避位置と延出位置との間で移動したときに、スライド部材とフレームとの間で移動を案内すべく、スライド部材及びフレームの何れか他方の第一面に対して作用し、第二固定軸回りで前記第一キャリアに相対的に旋回移動するように、前記第一キャリアに接続された第一ローラ部材とで構成されたことを特徴とするプレス装置。
【請求項２】
前記第一キャリアは、円弧状の凸面を有し、該凸面は、第一軸回りで旋回移動する第一ベアリングハウジングを案内するように構成されてなる請求項１記載のプレス装置。
【請求項３】
前記第一ベアリングハウジングが、前記スライド部材及びフレームの何れか一方に固着されてなる請求項１記載のプレス装置。
【請求項４】
スライド部材及びフレームの何れか一方に、第一取付ブロックが更に着脱自在に取り付けられるとともに、前記第一ベアリングハウジングが前記第一取付ブロックに取り付けられ、これにより、第一ベアリングハウジングが、所定位置で第一取付ブロックに対して調整及び支持できるように構成されてなる請求項１記載のプレス装置。
【請求項５】
前記第一ベアリングアッセンブリと同様に、第二ベアリングハウジングを有する第二ベアリングアッセンブリを更に備えるとともに、スライド部材及びフレームの何れか一方の固定位置に第二取付ブロックを更に備え、しかも前記第二ベアリングハウジングが、前記第二取付ブロックに取り付けられ、これにより、第二ベアリングハウジングが所定位置で前記第二取付ブロックに対して調整及び支持できるように構成されてなる請求項４記載のプレス装置。
【請求項６】
スライド部材は、相互が交差方向に形成された第一交差面及び第二交差面を備え、前記第一取付ブロックが、前記第一交差面に取り付けられるとともに、前記第二取付ブロックが前記第二交差面に取り付けられてなる請求項５記載のプレス装置。
【請求項７】
第一の位置と第二の位置との間で、スライド部材及び他の部材の移動を案内すべく、スライド部材と他の部材との間で作用するベアリングアッセンブリであって、スライド部材及び他の部材の何れか一方に取り付ける第一ベアリングハウジングと、第一固定軸回りで第一ベアリングハウジングに相対的に旋回移動するように、第一ベアリングハウジングに接続された第一キャリアと、第二固定軸回りで第一キャリアに相対的に旋回移動するように、第一キャリアに接続され、且つ第一の位置と第二の位置との間の移動を案内すべく、スライド部材及び他の部材の何れか他方の表面に対して作用する第一ローラ部材を備えてなることを特徴とするベアリングアッセンブリ。
【請求項８】
前記第一キャリアは、円弧状の凸面を備え、該凸面は、第一軸回りで旋回移動する第一ベアリングハウジングを案内するように構成されてなる請求項７記載のベアリングアッセンブリ。
【請求項９】
退避位置と延出位置との間で移動可能なスライド部材が配置される空間を形成する少なくとも三つの長尺なコラムを備えたフレームと、前記スライド部材との間の相対移動を案内する案内方法であって、スライド部材とそれぞれの長尺なコラムとの間で作用する複数のベアリングアッセンブリを配置する配置工程と、スライド部材が退避位置と延出位置との間で移動するときに、該ベアリングアッセンブリのローラ部材が軸回りで、且つスライド部材とフレームとの間の相対移動を案内すべく、ａ）スライド部材及びｂ）コラムの何れか一方に対応して回転する回転工程とで構成されてなることを特徴とする案内方法。
【請求項１０】
スライド部材が退避位置と延出位置との間で移動するときに、スライド部材の傾斜に対応させるべく、ａ）スライド部材及びｂ）コラムの何れか一方に対応してローラ部材の軸の姿勢が変更する変更工程を更に備えてなる請求項９記載の案内方法。
【発明の詳細な説明】
【０００１】
【発明の属する技術分野】
本発明は、フレームと該フレームに対して案内されつつ相対移動可能なスライド部材とを有するプレス装置に関し、特には、フレームとスライド部材との間で移動を促すベアリングアッセンブリ、及び案内方法に関する。
【０００２】
【従来の技術、及び発明が解決しようとする課題】
一方に対して他方が案内されつつ相対移動する要素を使用する状況が多数ある。一例として、プレス装置は、退避位置と延出位置との間でフレームに案内されつつ相対移動可能なスライド部材を利用する。プレス装置の構成の一例において、フレームはスライド部材の動きを案内するために、スライド部材に協力する垂直方向に延出した長尺なコラムを複数有している。この種のプレス装置は、スライド部材と、フレーム或いは該フレームのガイド面に対して従動可能なローラ部材とが、退避位置と延出位置との間でスライド部材が移動する時に、それぞれ面接触するのを利用している。
【０００３】
これらの従来型のシステムは、フレームとスライド部材との間が精密な位置合わせで整備されている限り、通常の能力を有する。しかしながら、サポート部品の不統一といった理由、及び使用中のスライド部品への不均一な力の作用といった理由の少なくとも何れか一方により、スライド部材がフレーム内で拘束される可能性があり、その結果スライド部材が傾斜してしまうことがある。
【０００４】
これは、潜在的に悪影響の原因となる可能性を秘めている。傾斜したスライド部材は、フレームに対して円滑に移動することができない。時間がたてば、フレームとスライド部材との間、或いは何れか一方に作用する案内要素は、大きなダメージを受けてしまう。最悪なケースでは、スライド部材の傾斜が極限になってプレス装置が故障してしまう。
【０００５】
上記状況を解決するためには、プレス装置の運転状態を保つべく、メンテナンスを頻繁に行わなければならない。プレス装置が、故障すれば、運転を停止して修繕しなければならない。特に、プレス装置が、他の機械加工コンポーネントによって行われる加工とプレス加工とを一体的に組み合わせた総合的な機械加工システムのコンポーネントとして一体化された場合には、ビジネスにおいて経済的に大きなダメージを被ってしまう。
【０００６】
多くのプレス装置は、プレス要素間で相対移動を円滑にし得るように創意工夫されている。一例として、米国特許第３，３８９，６２５号（ワグナー）には、フレームに設けられたローラ装置が開示されており、該ローラ装置は、スライド部材とローラ部材との間の隙間のコントロールをカム手段により調整できるようになっている。ワグナーの実施例から明らかなように、スライド部材に向かってローラ部材を押圧するために、正常な位置に戻される切除円筒状カム部材と相対的にローラ部材用の旋回軸の姿勢が変化できるようになっている。システムの動作中におけるローラ部材の姿勢変更は、円滑に案内することを目的としたローラ部材の機能を害してしまう。
【０００７】
ワグナーの構造では、図２から明らかなように、スライド部材の変移によって傾斜するため、平面から離れる傾向にある。スライド部材のサイドエッジに対して作用するローラ部材は、直交する二面において傾斜するのを防止するためのものである。ワグナーによって開示されたように、サイドエッジに対向する関係だけを利用することで、直交した面において傾くことを有効的にコントロールするこの種のシステムを構築することは不可能でないにしても、高い負荷状況においては、傾きをコントロールすることは困難である。
【０００８】
プレス装置産業及び他の産業は、関係要素間の相対的な直動を円滑的、且つ効率的に案内すべく、耐え得ず模索している。
【００２１】
【課題を解決するための手段】
本発明は、フレームと、退避位置及び延出位置間で前記フレームに案内されるスライド部材と、該スライド部材とフレームとの間で作用する第一ベアリングアッセンブリとで構成されたプレス装置を関するものである。
【００２２】
前記第一ベアリングアッセンブリは、スライド部材及びフレームの何れか一方に配設される第一ベアリングハウジングと、第一固定軸回りで前記第一ベアリングハウジングに相対的に旋回移動するように、前記第一ベアリングハウジングに接続された第一キャリアと、スライド部材が退避位置と延出位置との間で移動したときに、スライド部材とフレームとの間で移動を案内すべく、スライド部材及びフレームの何れか他方の第一面に対して作用し、第二固定軸回りで前記第一キャリアに相対的に旋回移動するように、前記第一キャリアに接続された第一ローラ部材とで構成されたことを特徴とする。
【００２３】
一形態として、前記第一キャリアは、円弧状の凸面を有し、該凸面は、第一軸回りで旋回移動する第一ベアリングハウジングを案内するように構成されてもよい。
【００２４】
前記第一ベアリングハウジングが、前記スライド部材及びフレームの何れか一方に固着された構成を採用することができる。
【００２５】
該プレス装置は、スライド部材及びフレームの何れか一方に、第一取付ブロックが更に着脱自在に取り付けられた構成を採用することができる。この場合、前記第一ベアリングハウジングが前記第一取付ブロックに取り付けられ、これにより、第一ベアリングハウジングが、所定位置で第一取付ブロックに対して調整及び支持できるように構成されることが好ましい。
【００２６】
該プレス装置は、前記第一ベアリングアッセンブリと同様に、第二ベアリングハウジングを有する第二ベアリングアッセンブリを更に備えた構成を採用することができる。この場合、該プレス装置は、スライド部材及びフレームの何れか一方の固定位置に第二取付ブロックを更に備え、しかも前記第二ベアリングハウジングが、前記第二取付ブロックに取り付けられ、これにより、第二ベアリングハウジングが所定位置で前記第二取付ブロックに対して調整及び支持できるように構成されることが好ましい。
【００２７】
スライド部材は、相互が交差方向に形成された第一交差面及び第二交差面を備えてもよい。この場合、一形態として、前記第一取付ブロックが、前記第一交差面に取り付けられるとともに、前記第二取付ブロックが前記第二交差面に取り付けられることが好ましい。
【００２８】
本発明は、第一の位置と第二の位置との間で、スライド部材及び他の部材の移動を案内すべく、スライド部材と他の部材との間で作用するベアリングアッセンブリに関するものである。
【００２９】
該ベアリングアッセンブリは、スライド部材及び他の部材の何れか一方に取り付ける第一ベアリングハウジングと、第一固定軸回りで第一ベアリングハウジングに相対的に旋回移動するように、第一ベアリングハウジングに接続された第一キャリアと、第二固定軸回りで第一キャリアに相対的に旋回移動するように、第一キャリアに接続され、且つ第一の位置と第二の位置との間の移動を案内すべく、スライド部材及び他の部材の何れか他方の表面に対して作用する第一ローラ部材を備えたことを特徴とする。
【００３０】
一形態として、前記第一キャリアは、円弧状の凸面を備え、該凸面は、第一軸回りで旋回移動する第一ベアリングハウジングを案内するように構成されてもよい。
【００３１】
本発明は、退避位置と延出位置との間で移動可能なスライド部材が配置される空間を形成する少なくとも三つの長尺なコラムを備えたフレームと、前記スライド部材との間の相対移動を案内する案内方法に関するものである。該案内方法は、スライド部材とそれぞれの長尺なコラムとの間で作用する複数のベアリングアッセンブリを配置する配置工程と、スライド部材が退避位置と延出位置との間で移動するときに、該ベアリングアッセンブリのローラ部材が軸回りで、且つスライド部材とフレームとの間の相対移動を案内すべく、ａ）スライド部材及びｂ）コラムの何れか一方に対応して回転する回転工程とで構成されてなることを特徴とする。
【００３２】
該案内方法は、スライド部材が退避位置と延出位置との間で移動するときに、スライド部材の傾斜に対応させるべく、ａ）スライド部材及びｂ）コラムの何れか一方に対応してローラ部材の軸の姿勢が変更する変更工程を更に備えてもよい。
【００３３】
【発明の実施の形態】
図１及び図２において、１０にフレーム１２が間隔をあけて上下方向に延びた長尺なコラム１４，１６を複数（二対）備えた従来のプレス装置を示している。
【００３４】
前記コラム１４，１６は、スライド部材２０が内部で動作する操作スペース１８と隣接している。
【００３５】
スライド部材２０は、図１に示す退避/上方位置から、図２に示す延出/下方位置に向けて移動可能に構成されている。
【００３６】
スライド部材２０が下降することによって、スライド部材２０は、フレーム１２に固定された支持台２４上の加工品２２に押圧力を作用させるようになっている。
【００３７】
スライド部材２０は、コラム１４，１６によって上下方向の移動が案内される。
【００３８】
その上、二対のコラム１４，１６（四つコラム１４，１６）は、フレーム１２を構成するとともに、スライド部材２０が内部で移動する略角形の操作スペース１８を形成している。スライド部材２０に取り付けたジブ２６が、所定寸法に作られることにより、微小隙間Ｘがジブ２６とコラム１４，１６上のスライド面２８，３０との間で担保される。
【００３９】
スライド部材２０が延出/下降した時に、スライド部材２０及びフレーム１２は理想的に配置され、これにより両矢印３２によって示すように、垂直線上での移動の全範囲、すなわち、スライド面２８，３０の平面に沿ってスライド部材２０が移動した際における、ジブ２６及びコラム１４，１６上のスライド面２８，３０間で微小隙間Ｘが確保される。垂直的にスライド部材の移動が微小変移した場合、或いは、部材間で寸法変化があった場合には、ジブ２６はスライド面２８，３０に接触し、これによりスライド部材２０は、フレーム１２に相対的に且つ接触移動する。
【００４０】
ジブ２６は、該ジブ２６とフレーム１２との間の摩擦力を抑えるべく、潤滑剤が塗布される。
【００４１】
図２に示すように、スライド部材２０が下降して加工品２２に接触することにより、矢印３４によって示されたように偏心加重が作用し、矢印３６の矢先方向にスライド部材２０が傾斜する傾向にある。これは、スライド部材２０における対角線上で対向する角で楔作用を引き起こし、スライド部材２０が更に下方に向けての移動するのを阻害、或いは制限し、その上、フレーム１２及びスライド部材２０の少なくとも何れか一方に損傷を与えてしまう。
【００４２】
同問題は、図３に示すように、スライド部材４２とともにローラアッセンブリ４４を用いた従来型のプレス装置でも頻繁に発生する。図３に示されたフレーム１２は、図１及び図２に示したものと同一のものである。主な相違点としては、オイル潤滑ジブ２６がローラアッセンブリ４４に代えられている点である。それぞれのローラアッセンブリ４４は、三つのローラ部材４６を備えており、三つのローラ部材４６は、スライド部材４２が出退した場合に、フレーム表面２８，３０に対して案内的に接触して同時に回転するように設計されている。
【００４３】
矢印４８が示すように、偏心加重が加わった場合、矢印５０が示すようにスライド部材４２は傾く傾向にある。
【００４４】
ローラアッセンブリ４４及びコラム１４，１６の隙間に依存するこの動作は、ローラアッセンブリ４４をＡ点及びＢ点のようなフレーム１２から完全に離れた位置に離間させる原因となる。同時に、ローラアッセンブリ４４がＣ点及びＤ点に位置することにより、一つ又は二つのローラ部材４６がフレーム表面２８，３０から離れて移動し、これにより、それぞれのローラアッセンブリ４４のたった一つのローラ部材４６によって、スライド部材４２とフレーム１２との間の全荷重が支えられる。
【００４５】
先と同様に、この動作は、潜在的にスライド部材４２の適正な移動を阻害し、また最悪の場合には、スライド部材４２のロック、及び/又はローラアッセンブリ４４及びフレーム１２の少なくとも何れか一方を損傷する原因となる。
【００４６】
なお、図１乃至図３の図面は、通常時の従来のプレス装置、及び該プレス装置の問題を明らかにすべく、スライド部材２０，４２の傾きを誇張した状態の概略図である。
【００４７】
図４乃至図６を参照すると、６０は、本発明にかかるプレス装置を示している。該プレス装置６０は、操作スペース７２を形成し、垂直方向に延びた長尺な４本のコラム６４，６６，６８，７０で構成されたフレーム６２を備えている。該コラム６４，６６，６８，７０は、クラウンアッセンブリ７４と地表面７８に埋設されたベッドアッセンブリ７６との間に設けられ（延びている）ている。
【００４８】
コラム６４，６６，６８，７０、クラウンアッセンブリ７４及びベッドアッセンブリ７６は、コラム６４，６６，６８，７０、クラウンアッセンブリ７４、及びベッドアッセンブリ７６のそれぞれに挿通したタイロッド８０によって一体化されており、そのためナット８４を取り付けるべく、タイロッド８０のロッドエンド８２，８３がベットアッセンブリ７６及びクラウンアッセンブリ７４から露出している。
【００４９】
ナット８４を締め付けることにより、単一なコラム６４，６６，６８，７０が、クラウンアッセンブリ７４とベッドアッセンブリ７６との間に拘束されることとなる。
【００５０】
スライド部材８６は、二本の吊ロッド８８，９０によってクラウンアッセンブリ７４から吊り下げられている。吊ロッド８８，９０は、スライド部材８６のスライド部材本体９２の取付位置９３に接続する下端（図示しない）を有し、そのため、吊ロッド８８，９０とスライド部材本体９２との間が移動自在となってスライド部材本体９２が案内される。
【００５１】
スライド部材８６を垂直方向に再配置する方法は、本発明にとっては重要でない。事実上知られる機構は、図４及び図５の一点鎖線で示す退避／上昇位置と、図４及び図５の実線で示す延出／下降位置との間でスライド部材８６を位置変更するために採用することができる。本実施例において、クラウンアッセンブリ７４上に設けられたモータ９６を介して動作可能に構成されたリフト装置９４が、吊ロッド８８，９０を選択的に上昇、及び下降させるために用いられることにより、スライド部材８６が、両矢印９８に示すように、退避位置と延出位置との間で垂直方向で上昇移動、及び下降移動するようになっている。
【００５２】
加工品９９は、操作スペース７２内でスライド部材８６が作用するのを許容する操作位置に右から左に直列的に移動可能である。一度操作が完結すると、加工品９９は、矢印１００の線方向でさらに操作スペース７２の外部に移動させることができる。
【００５３】
平面図に示された通り、スライド部材８６のスライド部材本体９２は、コラム６４，６６，６８，７０によって形成された長方形の操作スペース７２に適合して長方形状に形成されている。スライド部材８６は、コラム６４，６６，６８，７０のそれぞれに隣接して連続的に設置されたフレーム６２に操作的に関連した４つの角部１０２，１０４，１０６，１０８を有している（図６）。
【００５４】
スライド部材８６とコラム６４，６６，６８，７０との間での相対移動を円滑にするために、複数のガイドアッセンブリ１１０が用いられる。
【００５５】
本実施例において、ガイドアッセンブリ１１０は、スライド部材本体９２の上部及び下部におけるそれぞれの角部１０２，１０４，１０６，１０８に設けられている。それぞれのガイドアッセンブリ１１０は、同一の構成を有しており、スライド部材本体９２に取り付けられるとともに、フレーム６２に同一の態様で作用する。
【００５６】
ガイドアッセンブリ１１０の構成、及びスライド部材８６とフレーム６２との間におけるその協力関係は、コラム６４に関連するスライド部材８６の角部１０２のガイドアッセンブリ１１０によりなされる
【００５７】
図４乃至６に加えて図７乃至図１４には、ガイドアッセンブリ１１０の詳細が示されている。ガイドアッセンブリ１１０は、第一ベアリングアッセンブリ１１２、及び第二ベアリングアッセンブリ１１４からなり、それぞれは、同一の構成を有するとともに、スライド部材８６の角部１０２に分かれて取り付けられている。典型的なベアリングアッセンブリ１１２は、ベアリングハウジング１１６を有している。
【００５８】
ベアリングハウジング１１６は、円弧状で且つ凹状のガイド面１１８を有し、ガイド面１１８は、該ガイド面１１８の中心１２０から半径Ｒ１により定められている。該ガイド面１１８は、１８０°より大きな角度θの範囲に延びている。
【００５９】
第一ベアリングアッセンブリ１１２は、更に、円弧状で且つ凸状のガイド面１２４を有する第一Ｄ状キャリア１２２（以下、キャリアいう）により構成されてなり、ガイド面１２４は、中心１２６からベアリングハウジング１１６のガイド面１１８の半径Ｒ１よりやや短い半径Ｒ２により設定されている。該ガイド面１２４は、ベアリングハウジング１１６のガイド面１１８の範囲角度θよりやや大きな角度θ２の範囲に延びている。
【００６０】
キャリア１２２は、厚さＴに設定されており、ベアリングハウジング１１６の厚みＴ１と略同等に設定されている。この構造で、キャリア１２２は、ベアリングハウジング１１６によって定められた所定形状の開口部１２８に嵌め入れることができ、これにより、中心１２０，１２６は一致する。ベアリングハウジング１１６の開口部１２８にキャリア１２２が嵌め込まれることにより、ベアリングハウジング１１６のガイド面１１８及びキャリア１２２のガイド面１２４は、一致した中心１２０，１２６に沿って延びる軸１３０の軸回りでのキャリア１２２とベアリングハウジング１１６との間の相対移動を案内するために協力しあう。
【００６１】
ベアリングハウジング１１６のガイド面１１８及びキャリア１２２のガイド面１２４の両方が、１８０°より大きな範囲で延びることにより、キャリア１２２は、軸１３０に従って移動することで、開口１２８に導かれる。ベアリングハウジング１１６及びキャリア１２２は、該ベアリングハウジング１１６を介して対向して位置決めされた段付き穴１３４，１３６を通じて案内されたボルト１３２によって、それらの操作位置で保持される。段付き穴１３４，１３６は、中心１２０に沿って延びた軸と同軸である。ボルト１３２は、穴１３４，１３６を介して開口部１２８に延びる十分な長さを有している。
【００６２】
ボルト１３２の端部が開口部１２８に対応するために、キャリア１２２は、ガイド面１２４に切欠案内溝１３８を有している。ボルト１３２は、このようにしてベアリングハウジング１１６とキャリア１２２との間での軸１３０方向の移動を制限する。この構造で、ベアリングハウジング１１６及びキャリア１２２は、固定された軸１３０について相対的に旋回移動できる位置で保持される。
【００６３】
本実施例において、三つのローラ部材１４０，１４２，１４４が、直列状態で配置され、キャリア１２２に相対的な固定旋回軸に対する回転にふさわしい状態で設けられている。中央のローラ部材１４２は、軸１３０（第一軸）に対して旋回可能である。図において左側のローラ部材１４０は、軸１４６回りに旋回可能であり、図において右側のローラ部材１４４は、軸１４８回りに旋回可能である。ローラ部材１４０，１４２，１４４は、同一の構成を有し、軸１３０，１４６，１４８を介して延出した面によって二分割された寸法Ｘの均一幅部分を有したＵ字状の収容部１５０に対応して寸法設定されている。
【００６４】
ローラ部材１４０，１４２，１４４は、回転するためにそれぞれ同一方法で支持されている。例えば、ローラ部材１４４は、キャリア１２２を介して段付き穴１５４から延出し、且つ軸１４８に沿ってキャリア１２２の一方側１５６から、穴１５７、ローラ部材１４４を介してキャリア１２２の他方側１５８に挿通したボルト１５２によって所定位置で支持される。
【００６５】
ボルト１５２のヘッド１６０は、キャリア１２２の一方側１５６から外観的に突出するといけないので、穴１５４のザグリ１６２に内装されている。スペーサー１６４は、穴部１６６に埋設されている。ナット１６８は、ボルト１５２の端部１７０に螺嵌されて締め付けられ、これにより、ローラ部材１４４は、収容部１５０を閉ざす対向面１７２，１７４間に収容され、且つ軸１４８と一致したボルト１５２の中心軸１７６回りに回転するために支持されている。他のローラ部材１４０，１４２は、同様の方法により取り付けられている。
【００６６】
収容部１５０は、該収容部１５０に移動した異物を受け入れるために、拡張した逃げ空間により構成される補助収容部１７８を有している。
【００６７】
これは、ローラ部材１４０，１４２，１４４の回転移動を妨げる異物の蓄積を所定限度まで防止することができる。
【００６８】
その上、組み立てられたベアリングアッセンブリ１１２は、キャリア１２２のストレートエッジ１８０を越えて収容部１５０からローラ部材１４０，１４２，１４４が露出している。ストレートエッジ１８０は、ベアリングハウジング１１６の開口部１２８から外面的に僅かに延出している。
【００６９】
第一及び第二ベアリングアッセンブリ１１２，１１４は、スライド部材８６に取り付けられ、これによって第一ベアリングアッセンブリ１１２のローラ部材１４０，１４２，１４４は、軌道部材１８４の軌道表面１８２（第一面）に対して案内されつつ回転し、これと同時に、第二ベアリングアッセンブリ１１４のローラ部材１４０’，１４２’，１４４’が軌道部材１８４の直交面１８６（第二面）に案内されつつ回転する。軌道部材１８４は、焼き入れされた角形の金属台であり、コラム６４の凹部１８８にボルト１９０によって螺着され、所定位置に保持されている。  軌道部材１８４は、コラム６４でガイドアッセンブリ１１０を一斉に従わせるために、スライド部材８６の移動の全範囲内で垂直方向に十分な長さを有している。
【００７０】
第一及び第二ベアリングアッセンブリ１１２，１１４は、角部１０２で互いに直交した直交面１９２，１９４の平面上にそれぞれ取り付けられている。
【００７１】
第二ベアリングアッセンブリ１１４は、直交面１９４及び横面１９６間に形成された角部に配設されている。
【００７２】
直交面１９６は、スライド部材８６に対して固定された取付ブロック１９８によって形成されている。
【００７３】
第一ベアリングアッセンブリ１１２は、直交面１９２と、該直交面１９２に直交し、複数のボルト２０４でスライド部材８６に着脱自在に取り付けられた取付ブロック２０２により形成された面２００とで形成された角部に配設されている。
【００７４】
まず最初に、取付ブロック２０２は、ボルト２０４を用いることで設置される。第一及び第二ベアリングアッセンブリ１１２，１１４は、仮り組みされる。
【００７５】
ベアリングハウジング１１６は、ボルト２０６及び座金２０８を介してスライド部材８６に固定される。第二ベアリングアッセンブリ１１４は、ボルト２０６及び座金２０８を用いて同様に固定される。
【００７６】
ボルト２０６は、スライド部材８６に対して第一及び第二ベアリングアッセンブリ１１２，１１４の移動による調整を許容する位置に取り付ける。
【００７７】
この調整は、第一ベアリングアッセンブリ１１２に対して一本の調整引きボルト２１０及び二本の調整押しボルト２１２，２１４によりなされる。調整引きボルト２１０及び調整押しボルト２１２，２１４は、全てが取付ブロック２０２にまで延び、引き調整ボルト２１０は、ベアリングハウジング１１６の非貫通穴２１６にまで延びている。調整押しボルト２１２，２１４は、ベアリングハウジング１１６の端面に対して押圧（作用）する。調整引きボルト２１０及び調整押しボルト２１２，２１４は、ローラ部材１４０，１４２，１４４が軌道表面１８２に接触するように、トルクがかけられる。調整押しボルト２１２，２１４は、ロックナット２２０，２２２によって所定位置に固定される。ボルト２０６は、ベアリングハウジング１１６の配置位置に確実に維持するために締着される。第二ベアリングアッセンブリ１１４は、同様の方法により設置される。
【００７８】
該プレス装置は、第一及び第二ベアリングアッセンブリ１１２，１１４を製作した後に、最終調整を行って動作テストを行う。動作テストの後、ローラ部材１４０，１４２，１４４，１４０’，１４２’，１４４’、軌道部材１８４との間の隙間を寸法測定する。シム２２４は、図１６に示す如く、動作テスト後の隙間を所望のものにすべく、設置されるものである。第一ベアリングアッセンブリ１１２について、調整押しボルト２１２，２１４は、取付ブロック２０２とベアリングハウジング１１６との間でのシム２２４の配置を許容するために十分な隙間を形成すべく、締め付けられる。シム合わせは、第二ベアリングアッセンブリ１１４においても同様に行われる。
【００７９】
一度システムが組み立てられると、ガイドアッセンブリ１１０は、スライド部材８６の全ての角部で、スライド部材８６とフレーム６２との間の円滑な相対移動をガイドする。その結果、スライド部材８６が傾きと、軌道部材１８４に対する３つのローラ部材１４０，１４２，１４４，１４０’，１４２’，１４４’の接触を維持するために、キャリア１２２が回転することとなる。それに応じ、傾き力は、全てのガイドアッセンブリ１１０のローラ部材で常に受けられる。それぞれのガイドアッセンブリ１１０におけるベアリングアッセンブリ１１２，１１４の直交関係は、フレーム６２に相対的なスライド部材８６の全方向（複数の面）における傾斜を防止する。
【００８０】
開示された該プレス装置６０と異なる形態についても、熟考されている。
【００８１】
図１７に示した概略図のように、ガイドアッセンブリ１１０は、スライド部材８６でなくてフレーム６２に備えることができる。この実施例において、スライド部材８６は、退避位置と延出位置との間で水平方向に移動できるようになっている。
【００８２】
図１８には、第一部材及び第二部材が相対移動した際に、第一部材と第二部材との間で動作するように、第一部材にベアリングアッセンブリ１１２，１１４が取り付けられた他の形態が示されている。
【００８３】
図１８は、一方に対して他方が相対的に移動する時に案内される二要素を備えた非プレス用のものを示している。
【００８４】
前記実施例が一般的な概念の実例を意図することは、本発明により明らかである。
【００８５】
【発明の効果】
本発明にかかるプレス装置、及びこれに用いるベアリングアッセンブリ、並びに案内方法によれば、スライド部材とフレームとの間の円滑な相対移動を案内し、フレームに相対的なスライド部材の全方向における傾斜を防止することができる。
【図面の簡単な説明】
【図１】図１は、フレームと相対関係にあるスライド部材の移動を案内すべく、潤滑処理されたジブ部材を有した従来のプレス装置であって、スライド部材が退避位置に位置した状態の概略正面図を示す。
【図２】図２は、図１におけるスライド部材が動作中に偏心荷重を受けて傾斜した状態を示す。
【図３】図３は、図２における従来のローラ部材によって案内されるスライド部材が傾斜した状態を示す。
【図４】図４は、スライド部材とフレームとの相対的な移動を案内すべく、第一ベアリングアッセンブリ及び第二ベアリングアッセンブリからそれぞれなる本発明にかかるガイドアッセンブリを備えたプレス装置の正面図である。
【図５】図５は、図４に示したプレス装置の側面図である。
【図６】図６は、図４及び図５に示したスライド部材の拡大平面図である。
【図７】図７は、スライド部材の角部でフレーム上の一つのコラムと協力したガイドアッセンブリの部分拡大平面図である。
【図８】図８は、図７のガイドアッセンブリ上のベアリングアッセンブリの拡大側面図である。
【図９】図９は、図７に示したガイドアッセンブリ上の他のベアリングアッセンブリの拡大正面図である。
【図１０】図１０は、図７乃至９に示したベアリングアッセンブリのキャリアにおける拡大平面図である。
【図１１】図１１は、図１０に示したキャリアの拡大正面図である。
【図１２】図１２は、図１０及び図１１に示すキャリアの拡大側面図である。
【図１３】図１３は、図１０乃至図１２に示すキャリアを支持するためのベアリングハウジングの拡大側面図である。
【図１４】図１４は、図１３に示したベアリングハウジングの拡大正面図である。
【図１５】図１５は、図１３及び図１４に示したベアリングハウジングの拡大平面図である。
【図１６】図１６は、スライド部材に対応してガイドアッセンブリを効果的に調整すべく、工夫されたガイド部材に対して配置されるシムの拡大平面図を示す。
【図１７】図１７は、フレームに相対的に垂直移動するスライド部材を有する本発明にかかるプレス装置の一形態の概略図を示す。
【図１８】図１８は、相互に相対的な二要素を案内すべく使用される本発明のシステムの包括的な説明図である。
【符号の説明】
１０…プレス装置、１２…フレーム、１４，１６…コラム、１８…操作スペース、２０，４２…スライド部材、２２…加工品、２４…支持台、２６…オイル潤滑ジブ（ジブ）、２８，３０…スライド面（フレーム表面）、３２…両矢印、３４，３６…矢印、４４…ローラアッセンブリ、４６…ローラ部材、４８，５０…矢印、６０…プレス装置、６２…フレーム、６４，６６，６８，７０…コラム、７２…操作スペース、７４…クラウンアッセンブリ、７６…ベッドアッセンブリ、７８…地表面、８０…タイロッド、８２，８３…ロッドエンド、８４…ナット、８６…スライド部材、８８，９０…吊ロッド、９２…スライド部材本体、９３…空間位置、９４…リフト装置、９６…モータ、９８…両矢印、９９…加工品、１００…矢印、１０２，１０４，１０６，１０８…角部、１１０…ガイドアッセンブリ、１１２…ベアリングアッセンブリ（第一ベアリングアッセンブリ）、１１４…ベアリングアッセンブリ（第二ベアリングアッセンブリ）、１１６…ベアリングハウジング、１１８，１２４…ガイド面、１２０，１２６…中心、１２２…キャリア（第一Ｄ状キャリア）、１２８…開口部、１３０…軸、１３２…ボルト、１３４，１３６…穴、１３８…切欠案内溝、１４０，１４２，１４４，１４０’，１４２’，１４４’…ローラ部材、１４６，１４８…軸、１５０…収容部、１５２…ボルト、１５４…穴、１５６…一方側、１５７…穴、１５８…他方側、１６０…ヘッド、１６２…ザグリ、１６４…スペーサー、１６６…穴部、１６８…ナット、１７０…端部、１７２，１７４…対向面、１７６…中心軸、１７８…補助収容部、１８０…ストレートエッジ、１８２…軌道表面、１８４…軌道部材、１８６…直交面、１８８…凹部、１９０  ボルト、１９２，１９４…直交面、１９６…横面、１９６…直交面、１９８…取付ブロック、２００…面、２０２…取付ブロック、２０４…ボルト、２０６…ボルト、２０８…座金、２１０…調整引きボルト、２１２，２１４…調整押しボルト、２１６…非貫通穴、２２０，２２２…ロックナット、２２４…シム
【図１】
0003822164.tif 000002
【図２】
0003822164.tif 000003
【図３】
0003822164.tif 000004
【図４】
0003822164.tif 000005
【図５】
0003822164.tif 000006
【図６】
0003822164.tif 000007
【図７】
0003822164.tif 000008
【図８】
0003822164.tif 000009
【図９】
0003822164.tif 000010
【図１０】
0003822164.tif 000011
【図１１】
0003822164.tif 000012
【図１２】
0003822164.tif 000013
【図１３】
0003822164.tif 000014
【図１４】
0003822164.tif 000015
【図１５】
0003822164.tif 000016
【図１６】
0003822164.tif 000017
【図１７】
0003822164.tif 000018
【図１８】
0003822164.tif 000019